(57)【要約】  【課題】原稿本文のインターネットファックスによる送付が終了済みであることを確認した上で、送信を行ったことを迅速に相手側に伝えることが可能なインターネットファクシミリ装置を提供する。  【解決手段】原稿本文をインターネットファックス送信した（ステップ101）後、メール転送手順が終了したか否かを判定することにより、原稿本文のＳＭＴＰサーバへの受付が終了したか否かを判定する（ステップ102）。そして原稿本文のデータを添付したメールのＳＭＴＰサーバ２への受付が終了したと判定すると、ＣＰＵ１１はカバーページをファクシミリ送信する（ステップ105）。これにより、原稿本文が送信されていないのに、カバーページのみが送信されるという事態の発生を防止しつつ、迅速に送信を行ったことを相手側に伝えることが可能となる。  【選択図】図５
2006295750.tif 000002
【特許請求の範囲】
【請求項１】
ファックス送信及びインターネットファックス送信を行う制御手段を備えたインターネットファクシミリ装置であって、
カバーページをファックス送信し、原稿本文をインターネットファックス送信する場合、上記制御手段が原稿本文のインターネットファックス送信を確認した後、カバーページをファックス送信することを特徴とするインターネットファクシミリ装置。
【請求項２】
請求項１に記載されたインターネットファクシミリ装置において、
上記制御手段が、メールサーバへの原稿本文の受付が完了したか否かを判定することにより、原稿本文の送信を確認することを特徴とするインターネットファクシミリ装置。
【請求項３】
請求項１に記載されたンターネットファクシミリ装置において、
上記制御手段が、相手側装置からの原稿本文の配送確認メールを受信したか否かを判定することにより、原稿本文の送信を確認することを特徴とするインターネットファクシミリ装置。
【請求項４】
請求項１〜請求項３のいずれかに記載されたインターネットファクシミリ装置において、
送信時に、上記制御手段が、宛先情報に送信先のファックス番号とインターネットアドレスが含まれているか否かを判定し、両者が含まれているとき、カバーページをファックス送信し、原稿本文をインターネットファックス送信することを特徴とするインターネットファクシミリ装置。
【発明の詳細な説明】
【技術分野】
【０００１】
本発明は、インターネットファクシミリ装置、特に、送信原稿本文をインターネットファックス送信するとともに、カバーページ（送信案内状）を通常の電話回線によりファックス送信する機能を有するインターネットファクシミリ装置に関する。
【背景技術】
【０００２】
最近、インターネットの普及とともに、インターネット回線を利用した様々なサービスが提案されており、インターネットを介してファクシミリデータを送受するファクシミリも提案されており、このようなファクシミリはインターネットファクシミリと呼ばれている。
【０００３】
このようなインターネットファクシミリにおいて、電子メールを利用してインターネットを介して画像データを送受信する場合、画像データを含む電子メールを送信側のメールサーバ装置及びインターネットを介して受信側のメールサーバ装置にＳＭＴＰ（Simple Mail Transfer Protocol）方式で送信し、受信側のインターネットファクシミリ装置は、ＰＯＰ３(Post  Office  Protocol  version3）方式で受信側のメールサーバ装置にアクセスして画像データを含む電子メールを受信し、受信した画像データを画像記録部を用いて印字するようになっている。
【０００４】
ところで、従来のファクシミリ通信では、受信側のファクシミリ装置と直接、通信回線を設定後、イメージデータを送信し、受信側では、受信したイメージデータは直ちに印字出力されるので、受信人はデータを受信していることを容易に知ることができる。しかしながら、インターネットファクシミリ等の電子メールでは、電子メールを受信したことを積極的に受信人に通知するようにはなっていない。
【０００５】
一方、最近はパソコンをコンピュータ通信網に常時接続し、メール受信時にはなんらかの表示を行う機能もでてきているが、パソコンを起動していない場合には、ユーザは電子メールを受信していることを知ることができない。さらに、コンピュータ通信網では、送信人から受信人に電子メールが届くまでに複数のコンピュータを経由する場合があることや、データ量、回線の混雑の程度により、遅配が生じることがある。
【０００６】
このため、コンピュータ通信網を使用してインターネットファクシミリ送信を行った場合、すみやかに受信人にインターネットファクシミリ送信されたことを知らせるため、送信側から受信側に送信通知書のみをファクシミリで送信することが提案されている（例えば、特許文献１参照）。
【特許文献１】特開平９−３２５９２４号公報
【発明の開示】
【発明が解決しようとする課題】
【０００７】
上記のように、送信通知書のみを通常の電話回線によりファックス送信し、それ以外の送信原稿本文をインターネットファックス送信する場合、メールサーバが停止していた等、インターネットファックス送信に不都合が生じていた場合には、原稿本文が送信されていないのに、カバーページのみが送信されるという事態が生じる恐れがある。
【０００８】
本発明は、上記の問題に鑑みてなされたもので、インターネットファックスによる通信コストの削減を実現しつつも、原稿の送付が終了済みであることを確認した上で、送信を行ったことを迅速に相手側に伝えることが可能なインターネットファクシミリ装置を提供することを目的とする。
【課題を解決するための手段】
【０００９】
上述の目的を達成するため、請求項１に係る発明のインターネットファクシミリ装置は、ファックス送信及びインターネットファックス送信を行う制御手段を備えたインターネットファクシミリ装置であって、カバーページをファックス送信し、原稿本文をインターネットファックス送信する場合、上記制御手段が原稿本文のインターネットファックス送信を確認した後、カバーページをファックス送信することを特徴とする。
【００１０】
また、請求項２に係る発明のインターネットファクシミリ装置は、請求項１に記載のインターネットファクシミリ装置において、上記制御手段が、メールサーバへの原稿本文の受付が完了したか否かを判定することにより、原稿本文の送信を確認することを特徴とし、
請求項３に係る発明のインターネットファクシミリ装置は、請求項１に記載のインターネットファクシミリ装置において、上記制御手段が、相手側装置からの原稿本文の配送確認メールを受信したか否かを判定することにより、原稿本文の送信を確認することを特徴とする。
【００１１】
さらに、請求項４に係る発明のインターネットファクシミリ装置は、請求項１〜請求項３のいずれかに記載されたインターネットファクシミリ装置において、送信時に、上記制御手段が、宛先情報に送信先のファックス番号とインターネットアドレスが含まれているか否かを判定し、両者が含まれているとき、カバーページをファックス送信し、原稿本文をインターネットファックス送信することを特徴とする。
【発明の効果】
【００１２】
請求項１〜請求項３に係る発明のインターネットファクシミリ装置によれば、メールサーバまたは相手側装置からの原稿本文の受付完了信号あるいは配送確認メール等によって原稿本文の送信を確認した後、カバーページがファックス送信されるので、原稿本文が送信されていないのに、カバーページのみが送信されているという事態の発生を防止しつつ迅速に送信を行ったことを相手側に伝えることができる。
【００１３】
また、請求項４に係る発明のインターネットファクシミリ装置によれば、宛先情報に送信先のファックス番号とインターネットアドレスが含まれている場合、自動的にカバーページがファックス送信され、原稿本文がインターネットファックス送信されるので、簡単な操作で通信費用を削減するとともに、相手側に送信したことを通知することができる。
【実施例１】
【００１４】
本発明のインターネットファクシミリ装置をファクシミリ機能、コピー機能、プリンタ機能を備えたデジタル複合機に適用した場合の実施例について、図面を用いて説明する。
図１はデジタル複合機を備えたシステムのネットワーク構成例を示す図であり、図２はデジタル複合機のハードウェア構成を示すブロック図である。
【００１５】
図１に示すネットワーク構成図において、１はデジタル複合機、２、３はＳＭＴＰサーバ、４は公衆交換電話網（ＰＳＴＮ）、５はＬＡＮ（Local Area Network）、６はインターネット網である。デジタル複合機１はＭＲ、ＭＭＲ方式等により符号化した画像データを送受信するファクシミリ機能、及びＴＩＦＦ方式等により符号化され、電子メールに添付された画像データを送受信するインターネットファクシミリ機能を備え、ＰＳＴＮ４、ＬＡＮ５を介して他の装置と画像データの送受信を行うことができる。
また、ＳＭＴＰサーバ２はＬＡＮ５に接続されており、デジタル複合機１からの電子メールをＳＭＴＰプロトコルを使用して受信し、インターネット網６を介して外部のＳＭＴＰサーバ３に送信する機能を備えている。
【００１６】
一方、デジタル複合機１は、図２のハードウェア構成を示すブロック図に示すように、ＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、タイマ２１及びＬＡＮインターフェース（Ｉ／Ｆ）２２から構成され、各部がバス２３を介して接続されている。
【００１７】
ＣＰＵ１１はバス２３を介してデジタル複合機１のハードウェア各部を制御するとともに、ＲＯＭ１２に記憶されたプログラムに基づいて各種のプログラムを実行し、ＲＯＭ１２はデジタル複合機１の動作に必要な種々のプログラムや操作メッセージ等を予め記憶している。また、ＲＡＭ１３はＳＲＡＭ等で構成され、プログラムの実行時に発生する一時的なデータを記憶するとともに、電話番号、メールアドレス、ＩＰアドレス等の送信先の情報を記憶する電話帳テーブルを記憶する記憶領域を有している。
【００１８】
表示・操作部１４は、デジタル複合機１の動作状態を表示したり、種々の機能の操作画面の表示を行う表示部と、デジタル複合機１を操作するための複数のキーよりなり、図３に示すように、表示部を構成するＬＣＤ表示部３１と多数の操作キーから構成されている。ＬＣＤ表示部３１には、タッチパネルスイッチが配設され、ＬＣＤ表示部３１に表示された項目部分を押下することで、対応する項目の選択や機能の実行を行うことができる。また、操作キーとして、テンキー３２、スタートキー３３、リセットキー３４、ストップキー３５、十字キー３６、リターンキー３７、セットキー３８、ファックス切替キー３９、コピー切替キー４０、スキャナ切替キー４１等の各種キーが設けられている。なお、ＬＣＤ表示部３１によりこれらの操作キーの一部又は全部を代用することも可能である。
【００１９】
読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータをプリントアウトする。
【００２０】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２１】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ４に接続する。また、タイマ２１はＣＰＵ１１の指令により時間を計時する。
【００２２】
ＬＡＮインターフェース２２はＳＭＴＰサーバ２が接続されたＬＡＮ５に接続され、インターネット網６からの信号を受信する一方、ＬＡＮ５に対して信号やデータを送信するものであり、信号変換やプロトコル変換などのインターフェース処理を実行するとともに、データ通信中の通信エラーを検出する。
【００２３】
一方、上記のＲＡＭ１３に記憶される電話帳テーブルは、図４に示すように、短縮ダイヤル番号またはワンタッチキー番号、宛先名称、電話番号、メールアドレスを記憶する領域を備えており、表示・操作部１４のＬＣＤ表示部３１に表示される宛先登録画面からユーザが入力することにより、それぞれの設定を電話帳テーブルに登録することができる。
【００２４】
デジタル複合機１は上記のような構成を備えており、Ｇ３ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ４を通して通信相手先に送信される。また、ファクシミリ受信時には、受信した画像データがモデム１９で復調され、画像メモリ１６に蓄積された後、コーデック１８で復号されて記録部１７により印刷される。
【００２５】
一方、このデジタル複合機は、カバーページをファックス送信し、原稿本文をインターネットファックス送信する機能を備えており、以下、ファックス送信時の作用を図５のフローチャートにより説明する。
ユーザが読取部１５の原稿載置部に原稿をセットした後、表示・操作部１４のファックス切替キー３９を押下すると、ＬＣＤ表示部３１に図６に示すようなファックス送信機能選択画面が表示される。この表示画面には、図に示すように原稿をファックス送信する「ＦＡＸ」キー、原稿をメールで送信、すなわちインターネットファックス送信する「メール」キー及び本文をメールで送信し、カバーページをファックス送信する「本文：メール／カバー：ＦＡＸ」キーとが表示されている。
【００２６】
そして、ユーザが「本文：メール／カバー：ＦＡＸ」キーを押下し、次の宛先入力画面（図示せず）で短縮ダイヤル番号、ワンタッチキー番号あるいは直接宛先を入力した後、スタートキー３３を押下すると、デジタル複合機１のＣＰＵ１１は読取部１５にセットされた原稿の読取処理を行い、画像データを画像メモリ１６に蓄積した後、図５のフローチャートに示す送信プログラムを開始する。このプログラムを開始すると、まず、ＣＰＵ１１は、原稿本文をインターネットファックス送信する（ステップ１０１）。
【００２７】
すなわち、ＣＰＵ１１は画像メモリ１６に蓄積されている原稿本文の画像データをコーデック１８により電子メールに添付可能なファイル形式、例えば、ＴＩＦＦ形式ファイルに変換して電子メール用の添付ファイルを作成し、作成した添付ファイルを添付したメールをＬＡＮ５を介してＳＭＴＰプロトコルを使用してＳＭＴＰサーバ２に送信する。なお、この場合、ＣＰＵ１１は、ＳＭＴＰサーバ２との間でコンマンドのやり取りを行った後、原稿本文のデータを添付したメールをＳＭＴＰサーバ２に転送する手順を取る。
【００２８】
次に、ＣＰＵ１１は、上記のメール転送手順が終了したか否かを判定することにより、原稿本文のＳＭＴＰサーバ２への受付が終了したか否かを判定する（ステップ１０２）。受付が終了していないと判定した場合、ＣＰＵ１１は、タイマ２１により送信を開始してから所定時間が経過したか否かを判定し（ステップ１０３）、所定時間が経過していないと判定した場合、ステップ１０２に戻る。
また、ステップ１０３で送信を開始してから所定時間が経過したと判定した場合には、ＣＰＵ１１はＳＭＴＰサーバ２が停止していると判断し、「原稿本文送信不可」とのチェックメッセージを記録部１７により印刷した（ステップ１０４）後、プログラムを終了する。
【００２９】
一方、ステップ１０２で原稿本文のデータを添付したメールのＳＭＴＰサーバ２への受付が終了したと判定すると、ＣＰＵ１１はカバーページをファクシミリ送信する（ステップ１０５）。
すなわち、ＣＰＵ１１は画像メモリ１６からカバーページの画像データを読み出してモデム１９で変調し、ＮＣＵ２０からＰＳＴＮ４を通して相手先に送信する。
【００３０】
次に、ＣＰＵ１１は、相手側ファクシミリとの通信が正常に終了したか否かを判定し（ステップ１０６）、相手側ファクシミリとの通信が正常に終了していないと判定した場合、タイマ２１によりファックス送信を開始してから所定時間が経過したか否かを判定し（ステップ１０７）、所定時間が経過していないと判定した場合、ステップ１０６に戻る。
【００３１】
そして、ステップ１０６で相手側ファクシミリとの通信が正常に終了したと判定した場合、ＣＰＵ１１は通信を終了した（ステップ１０８）後、プログラムを終了する。
一方、ステップ１０７でファックス送信を開始してから所定時間が経過したと判定した場合には、ＣＰＵ１１は通信エラーが発生したと判断し、「カバーページ送信不可」とのチェックメッセージを記録部１７により印刷した（ステップ１０９）後、プログラムを終了する。
【００３２】
以上のように、原稿本文のデータを添付したメールのＳＭＴＰサーバ２への受付の終了によって原稿本文の送信を確認した後、カバーページをファックス送信するので、原稿本文が送信されていないのに、カバーページのみが送信されるという事態の発生を防止しつつ、迅速に送信を行ったことを相手側に伝えることが可能となる。
【実施例２】
【００３３】
上記の実施例では、ＬＣＤ表示部３１の送信機能選択画面で「本文：メール／カバー：ＦＡＸ」を選択することにより、カバーページをファックス送信し、原稿本文をインターネットファックス送信するようにしたが、電話帳テーブルに送信宛先のメールアドレスとファックス番号の両方が登録されている場合に、自動的にカバーページをファックス送信し、原稿本文をインターネットファックス送信するようにすることも可能である。
【００３４】
以下、電話帳テーブルの情報を利用して送信を行う場合の、ＣＰＵ１１の作用を図７のフローチャートにより説明する。なお、装置の構成は図１〜図４と同じであるので、説明を省略する。
ユーザが読取部１５の原稿載置部に原稿をセットした後、表示・操作部１４のファックス切替キー３９を押下すると、ＬＣＤ表示部３１にファックス宛先入力画面（図示せず）が表示される。この表示画面でユーザが短縮ダイヤル番号またはワンタッチキー番号選択した後、スタートキー３３を押下すると、デジタル複合機１のＣＰＵ１１は読取部１５にセットされた原稿の読取処理を行い、画像データを画像メモリ１６に蓄積した後、図７のフローチャートに示す送信プログラムを開始する。
【００３５】
このプログラムを開始すると、まず、ＣＰＵ１１は、ＲＡＭ１３に登録されている電話帳テーブルをチェックすることにより、短縮ダイヤル番号またはワンタッチキー番号で選択された宛先の登録が電話番号のみか否かを判定する（ステップ２０１）。選択された宛先の登録が電話番号のみであると判定した場合、ＣＰＵ１１はカバーページ及び原稿本文をファックス送信する（ステップ２０２）。すなわち、ＣＰＵ１１は、画像メモリ１６からカバーページ及び原稿本文の画像データを読み出してモデム１９で変調し、ＮＣＵ２０からＰＳＴＮ４を通して相手先に送信する。
【００３６】
一方、選択された宛先の登録が電話番号のみではないと判定した場合、ＣＰＵ１１は、宛先の登録がメールアドレスのみか否かを判定し（ステップ２０３）、選択された宛先の登録がメールアドレスのみであると判定した場合、ＣＰＵ１１はカバーページ及び原稿本文をインターネットファックス送信する（ステップ２０４）。すなわち、ＣＰＵ１１は、画像メモリ１６に蓄積されているカバーページ及び原稿本文の画像データをコーデック１８により電子メールに添付可能なファイル形式に変換して電子メール用の添付ファイルを作成し、作成した添付ファイルを添付したメールをＬＡＮ５を介してＳＭＴＰプロトコルを使用してＳＭＴＰサーバ２に送信する。
【００３７】
また、ステップ２０３で宛先の登録がメールアドレスのみではないと判定すると、ＣＰＵ１１は、選択された宛先に電話番号及びメールアドレスの両方が登録されているか否かを判定し（ステップ２０５）、両方が登録されていないと判定した場合には、プログラムを終了する。
そして、電話番号及びメールアドレスの両方が登録されていると判定した場合、ＣＰＵ１１は原稿本文をインターネットファックス送信する（ステップ２０６）が、以降の作用は、図５のフローチャートのステップ１０１以降の作用と同じであるので、詳細な説明は省略する。
【００３８】
以上のように、電話帳テーブルに送信宛先のメールアドレスとファックス番号の両方が登録されている場合、自動的にカバーページをファックス送信し、原稿本文をインターネットファックス送信することができるので、送信操作を簡略にすることができる。
【実施例３】
【００３９】
以上の実施例では、原稿本文のデータを添付したメールのＳＭＴＰサーバ２への受付が終了したか否かを判定することにより原稿本文の送信を確認したが、インターネットプロトコル（ＩＰ）を利用するＩＰ網を介してＳＭＴＰサーバ、ＰＯＰサーバを介することなく端末同士で直接データ通信を行うことが可能な場合には、相手側装置からの配送確認（ＤＳＮまたはＭＤＮ）を受信したか否かを判定することにより原稿本文の送信を確認することができる。
なお、ＤＳＮ（Delivery  Status  Notifications）はメールの送達ステータスを送信者に対して通知する機能であり、ＤＳＮに対応したメール・サーバ・ソフトウェアを使用すると、「配信済み」あるいは「配信失敗」といったステータス情報を受け取ることができる。このＤＳＮはメールサーバが返信するものであり、ＭＤＮ（Message  Disposition  Notifications）は端末が返信する。
【００４０】
以下、ＩＰ網を介して端末同士で直接データ通信を行う場合の作用を図８のネットワーク構成図と図９のフローチャートにより説明する。なお、図８のネットワーク構成図の相手側装置７はデジタル複合機１と同様な構成で、メールサーバ（ＳＭＴＰ受信）の機能と、端末の機能の両方を備えており、その他の構成は図１〜図３と同じであるので、説明を省略する。
ユーザが読取部１５の原稿載置部に原稿をセットした後、ファックス切替キー３９を押下すると、表示・操作部１４のＬＣＤ表示部３１に図１０に示すような送信機能選択画面が表示される。この表示画面でユーザが「ダイレクトＳＭＴＰ」キーを押下し、次の宛先入力画面で短縮ダイヤル番号、ワンタッチキー番号あるいは直接ＩＰアドレスを入力した後、スタートキー３３を押下すると、デジタル複合機１のＣＰＵ１１は読取部１５にセットされた原稿の読取処理を行い、画像データを画像メモリ１６に蓄積した後、図９のフローチャートに示す送信プログラムを開始する。
【００４１】
このプログラムを開始すると、まず、ＣＰＵ１１は、ＬＡＮ５、インターネット網６を介して相手側装置７と接続し、接続が確立したら、画像メモリ１６に蓄積されている原稿本文の画像データをコーデック１８により電子メールに添付可能なファイル形式に変換して電子メール用の添付ファイルを作成し、作成した添付ファイルを添付したメールを相手側装置７に送信する（ステップ３０１）。
【００４２】
次に、ＣＰＵ１１は、相手側装置７からＤＳＮまたはＭＤＮにより「配信済み」のステータス情報を受け取ったか否かを判定する（ステップ３０２）。そして、「配信済み」のステータス情報を受け取っていないと判定した場合は、所定時間が経過したか否かを判定し（ステップ３０３）、「配信済み」のステータス情報を受け取ったと判定した場合は、カバーページをファックス送信する（ステップ３０５）が、以降の作用は図５のフローチャートのステップ１０３以降と同じであるので、詳細な説明は省略する。
【００４３】
以上のように、相手側装置からの「配信済み」のステータス情報の受け取りにより原稿本文のデータを添付したメールの送信を確認した後、カバーページがファックス送信されるので、上記と同様に、原稿本文が送信されていないのに、カバーページのみが送信されているという事態の発生を防止しつつ、迅速に送信を行ったことを相手側に伝えることが可能となる。
【００４４】
なお、上記の実施例では、送信機能選択画面でダイレクトＳＭＴＰを選択したが、図７のフローチャートと同様に、電話帳テーブルに送信宛先のＩＰアドレスとファックス番号の両方が登録されている場合には、自動的にカバーページをファックス送信し、原稿本文のデータを添付したメールをダイレクトメールすることも可能である。
【００４５】
また、上記の実施例では、相手側装置からのＤＳＮまたはＭＤＮで原稿本文のデータを添付したメールの送信を確認したが、メールサーバ経由で原稿本文のデータを添付したメールを送信する場合、メールサーバからのＤＳＮでメールの送信を確認することもでき、さらに、ダイレクトＳＭＴＰで原稿本文のデータを添付したメールの送信を行う場合には、ＳＭＴＰ手順でメールの送信完了を判断することも可能である。
【００４６】
また、以上の実施例では送信時にデータをＴＩＦＦ形式のファイルとして送信したが、ＰＤＦ形式やその他の様々なファイル形式で送信するようにすることもできる。
【図面の簡単な説明】
【００４７】
【図１】デジタル複合機を備えたシステムのネットワーク構成例を示す図である。
【図２】デジタル複合機のハードウェア構成を示すブロック図である。
【図３】表示・操作部のパネルの一例を示す図である。
【図４】電話帳テーブルの登録項目の一例を示す図である。
【図５】デジタル複合機のファックス送信時の作用を示すフローチャートである。
【図６】ファックス送信機能選択画面の一例を示す図である。
【図７】電話帳テーブルの情報を利用して送信を行う場合の、デジタル複合機の作用を示すフローチャートである。
【図８】ＩＰ網を介して端末同士で直接データ通信を行う場合のネットワーク構成例を示す図である。
【図９】ＩＰ網を介して端末同士で直接データ通信を行う場合の、デジタル複合機の作用を示すフローチャートである。
【図１０】ＩＰ網を介して直接データ通信を行う場合のファックス送信機能選択画面の一例を示す図である。
【符号の説明】
【００４８】
１  デジタル複合機
２、３  ＳＭＴＰサーバ
４  ＰＳＴＮ
５  ＬＡＮ
６  インターネット網
７  相手側装置
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  タイマ
２２  ＬＡＮ  Ｉ／Ｆ
２３  バス
【図１】
2006295750.tif 000003
【図２】
2006295750.tif 000004
【図３】
2006295750.tif 000005
【図４】
2006295750.tif 000006
【図５】
2006295750.tif 000007
【図６】
2006295750.tif 000008
【図７】
2006295750.tif 000009
【図８】
2006295750.tif 000010
【図９】
2006295750.tif 000011
【図１０】
2006295750.tif 000012